【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
少なくとも、最表面に位置する基材層、バリア層、及び熱融着性樹脂層をこの順に備える積層体から構成されており、
前記ポリエステルフィルム層の最表面の算術平均粗さが１０００ｎｍ以下であり、
前記基材層の表面及び内部の少なくとも一方には、２種類以上の滑剤が存在し、
前記基材層の最表面は、ポリエステルフィルム層により構成されており、
フーリエ変換赤外分光法の全反射法を用い、前記ポリエステルフィルム層の表面について、０°から１７０°まで１０°刻みで１８方向の赤外吸収スペクトルを取得した場合に、以下の式を充足する、電池用包装材料。
Ｙmax／Ｙmin＜１．４
Ｙmaxは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最大値である。
Ｙminは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最小値である。
【請求項２】
少なくとも、最表面に位置する基材層、バリア層、及び熱融着性樹脂層をこの順に備える積層体から構成されており、
前記ポリエステルフィルム層の最表面の算術平均粗さが１０００ｎｍ以下であり、
前記熱融着性樹脂層の表面及び内部の少なくとも一方には、２種類以上の滑剤が存在し、
前記基材層の最表面は、ポリエステルフィルム層により構成されており、
フーリエ変換赤外分光法の全反射法を用い、前記ポリエステルフィルム層の表面について、０°から１７０°まで１０°刻みで１８方向の赤外吸収スペクトルを取得した場合に、以下の式を充足する、電池用包装材料。
Ｙmax／Ｙmin＜１．４
Ｙmaxは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最大値である。
Ｙminは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最小値である。
【請求項３】
少なくとも、最表面に位置する基材層、バリア層、及び熱融着性樹脂層をこの順に備える積層体から構成されており、
前記ポリエステルフィルム層の最表面の算術平均粗さが１０００ｎｍ以下であり、
前記積層体の厚みは、１８０μｍ以下であり、
前記基材層の最表面は、ポリエステルフィルム層により構成されており、
フーリエ変換赤外分光法の全反射法を用い、前記ポリエステルフィルム層の表面について、０°から１７０°まで１０°刻みで１８方向の赤外吸収スペクトルを取得した場合に、以下の式を充足する、電池用包装材料。
Ｙmax／Ｙmin＜１．４
Ｙmaxは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最大値である。
Ｙminは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最小値である。
【請求項４】
少なくとも、最表面に位置する基材層、バリア層、及び熱融着性樹脂層をこの順に備える積層体から構成されており、
前記ポリエステルフィルム層の最表面の算術平均粗さが１０００ｎｍ以下であり、
前記熱融着性樹脂層は、同一又は異なる樹脂成分によって２層以上で形成されており、
前記基材層の最表面は、ポリエステルフィルム層により構成されており、
フーリエ変換赤外分光法の全反射法を用い、前記ポリエステルフィルム層の表面について、０°から１７０°まで１０°刻みで１８方向の赤外吸収スペクトルを取得した場合に、以下の式を充足する、電池用包装材料。
Ｙmax／Ｙmin＜１．４
Ｙmaxは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最大値である。
Ｙminは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最小値である。
【請求項５】
前記ポリエステルフィルム層の表面に対して、印刷が施される用途に用いられる、請求項１〜４のいずれか１項に記載の電池用包装材料。
【請求項６】
ＪＩＳ  Ｂ  ０６０１−２００１に規定された方法に準拠し、前記ポリエステルフィルム層の表面について測定した算術平均粗さＲａが、１０ｎｍ以上である、請求項１〜５のいずれか１項に記載の電池用包装材料。
【請求項７】
前記バリア層と前記熱融着性樹脂層との間に、接着層を備えており、
前記接着層が、酸変性ポリオレフィンを含む、請求項１〜６のいずれかに記載の電池用包装材料。
【請求項８】
前記接着層の前記酸変性ポリオレフィンが、無水マレイン酸変性ポリプロピレンであり、
前記熱融着性樹脂層が、ポリプロピレンを含む、請求項７に記載の電池用包装材料。
【請求項９】
前記接着層の厚みが、５０μｍ以下である、請求項７または８に記載の電池用包装材料。
【請求項１０】
前記接着層の厚みが、１０μｍ以上５０μｍ以下である、請求項７または８に記載の電池用包装材料。
【請求項１１】
前記接着層と前記熱融着性樹脂層との共押出積層体である、請求項７〜１０のいずれかに電池用包装材料。
【請求項１２】
前記ポリエステルフィルム層の厚みが、１０μｍ以上５０μｍ以下である、請求項１〜１１のいずれかに記載の電池用包装材料。
【請求項１３】
前記バリア層の少なくとも一方の表面に、耐酸性皮膜を備えており、
前記耐酸性皮膜について、飛行時間型２次イオン質量分析法を用いて分析した場合に、Ｃｅ2ＰＯ4+、ＣｅＰＯ4-、ＣｒＰＯ2+、及びＣｒＰＯ4-からなる群より選択される少なくとも１種に由来するピークが検出される、請求項１〜１２のいずれかに記載の電池用包装材料。
【請求項１４】
前記バリア層の少なくとも一方の表面に、リン化合物、クロム化合物、フッ化物、及びトリアジンチオール化合物からなる群より選択される少なくとも１種を含む耐酸性皮膜を備えている、請求項１〜１３のいずれかに記載の電池用包装材料。
【請求項１５】
前記バリア層の少なくとも一方の表面に、セリウム化合物を含む耐酸性皮膜を備えている、請求項１〜１４のいずれかに記載の電池用包装材料。
【請求項１６】
少なくとも、最表面に位置する基材層、バリア層、及び熱融着性樹脂層がこの順となるように積層して積層体を得る工程を備えており、
前記ポリエステルフィルム層の最表面の算術平均粗さが１０００ｎｍ以下であり、
前記基材層の表面及び内部の少なくとも一方には、２種類以上の滑剤が存在し、
前記基材層の最表面は、ポリエステルフィルム層により構成されており、
フーリエ変換赤外分光法の全反射法を用い、前記ポリエステルフィルム層の表面について、０°から１７０°まで１０°刻みで１８方向の赤外吸収スペクトルを取得した場合に、以下の式を充足する、電池用包装材料の製造方法。
Ｙmax／Ｙmin＜１．４
Ｙmaxは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最大値である。
Ｙminは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最小値である。
【請求項１７】
少なくとも正極、負極、及び電解質を備えた電池素子が、請求項１〜１５のいずれかに記載の電池用包装材料により形成された包装体中に収容されている、電池。
【請求項１８】
前記ポリエステルフィルム層の表面に印字部を有する、請求項１７に記載の電池。
【請求項１９】
請求項１〜１５のいずれかに記載の電池用包装材料からなる包装体中に、少なくとも正極、負極、及び電解質を備えた電池素子を収容する収容工程と、
前記収容工程の前及び後の少なくとも一方において、前記ポリエステルフィルム層の表面に、印刷を施す工程と、
を備える、電池の製造方法。
【請求項２０】
電池用包装材料の最表面に位置するポリエステルフィルム層に使用するためのポリエステルフィルムであって、
前記電池用包装材料は、少なくとも、最表面に位置する基材層、バリア層、及び熱融着性樹脂層をこの順に備える積層体から構成されており、
前記ポリエステルフィルム層の最表面の算術平均粗さが１０００ｎｍ以下であり、
前記基材層の表面及び内部の少なくとも一方には、２種類以上の滑剤が存在し、
フーリエ変換赤外分光法の全反射法を用い、前記ポリエステルフィルムの表面について、０°から１７０°まで１０°刻みで１８方向の赤外吸収スペクトルを取得した場合に、以下の式を充足する、ポリエステルフィルム。
Ｙmax／Ｙmin＜１．４
Ｙmaxは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最大値である。
Ｙminは、前記１８方向の各方向において、それぞれ、赤外吸収スペクトルの波数１３４０ｃｍ-1における吸収ピーク強度Ｙ1340を、波数１４１０ｃｍ-1における吸収ピーク強度Ｙ1410で除した値の中の最小値である。